【手続補正書】
【提出日】令和3年9月3日(2021.9.3)
【手続補正１】
【補正対象書類名】特許請求の範囲
【補正対象項目名】全文
【補正方法】変更
【補正の内容】
【特許請求の範囲】
【請求項１】
品質管理（ＱＣ）の方法を実行する少なくとも１つの電子プロセッサを含むワークステーションによって読み出し可能及び実行可能な命令を記憶する非一時的コンピュータ可読媒体であって、前記方法は、
ピクセル構成検出器によって取得された現在のＱＣデータセットと、前記ピクセル構成検出器によって取得された１つ以上の先行するＱＣデータセットとを受信するステップと、
前記現在のＱＣデータセット及び前記１つ以上の先行するＱＣデータセットから、前記ピクセル構成検出器の検出器ピクセルの安定度レベルを経時的に判断するステップであって、前記現在のＱＣデータセットと前記１つ以上の先行するＱＣデータセットとの間の前記検出器ピクセルの感度の変化に基づいて、前記検出器ピクセルの安定度レベルを判断するステップと、
前記ピクセル構成検出器の検出器ピクセルに関して判断された前記安定度レベルが安定度閾値範囲から外れているときに、前記検出器ピクセルをデッドと分類するステップと、
前記ワークステーションと動作可能に接続された表示デバイス上に、デッドと分類された前記検出器ピクセルの識別情報を表示するステップとを有する、非一時的コンピュータ可読媒体。
【請求項２】
前記方法は、
前記現在のＱＣデータセットから、前記ピクセル構成検出器の前記検出器ピクセルの感度レベルを判断するステップと、
前記感度レベルが最大感度閾値より高いときに、前記ピクセル構成検出器の検出器ピクセルをデッドと分類するステップとを更に有する、請求項１に記載の非一時的コンピュータ可読媒体。
【請求項３】
前記方法は、
前記感度レベルが最小感度閾値より低く、経時的に安定した感度レベルを有するときに、前記ピクセル構成検出器の検出器ピクセルをコールドと分類するステップを更に有し、
前記表示は、コールドと分類された前記検出器ピクセルの識別情報も含む、請求項２に記載の非一時的コンピュータ可読媒体。
【請求項４】
前記方法は、
デッドと分類された前記検出器ピクセルに基づいて、前記ピクセル構成検出器の保守点検又は較正が指示されるか否かを判断するステップを更に有し、
前記表示デバイス上の前記表示は、前記ピクセル構成検出器の保守点検又は較正が指示されるか否かの前記判断を踏まえて、前記ピクセル構成検出器の保守点検の実行勧告又は前記ピクセル構成検出器の較正の実行勧告を指示するメッセージを更に含み、前記メッセージは、前記ピクセル構成検出器内でデッドと分類された検出器ピクセルのクラスタを再配置する勧告を更に指示する、請求項１に記載の非一時的コンピュータ可読媒体。
【請求項５】
前記ピクセル構成検出器の検出器ピクセルに関して判断された前記安定度レベルが安定度閾値範囲から外れているときに前記検出器ピクセルをデッドと分類する前記ステップの動作は、
以前にデッドと分類された１つ以上の検出器ピクセルの検出された前記安定度レベルが前記安定度閾値範囲内にあるときに、以前にデッドと分類された前記１つ以上の検出器ピクセルをライブと再分類することを更に含む、請求項１に記載の非一時的コンピュータ可読媒体。
【請求項６】
前記方法は、
デッドと分類された前記検出器ピクセルを、データを与えない検出器ピクセルとして取り扱って、前記ピクセル構成検出器によって撮像対象者に関して取得される撮像データをシミュレートするステップと、
前記シミュレートされた撮像データを再構成して、シミュレートされた画像を生成するステップとを更に有する、請求項１に記載の非一時的コンピュータ可読媒体。
【請求項７】
前記方法は、
デッドと分類された前記検出器ピクセルによって取得されたデータを省いて、前記ピクセル構成検出器によって取得された撮像データセットを再構成して、現在のＱＣ画像を生成するステップと、
前記表示デバイス上に、前記現在のＱＣ画像と前記１つ以上の先行するＱＣデータセットで生成された基準画像との比較を表示するステップとを更に有する、請求項１に記載の非一時的コンピュータ可読媒体。
【請求項８】
前記方法は、
前記現在のＱＣ画像と前記基準画像とを比較するステップと、
前記現在のＱＣ画像と前記基準画像との前記比較に基づいて、前記ピクセル構成検出器の保守点検又は較正が指示されるか否かを判断するステップとを更に有し、
前記表示デバイス上の前記表示は、前記ピクセル構成検出器の保守点検又は較正が指示されるか否かの前記判断を踏まえて、前記ピクセル構成検出器の保守点検の実行勧告又は前記ピクセル構成検出器の較正の実行勧告を指示するメッセージを更に含む、請求項７に記載の非一時的コンピュータ可読媒体。
【請求項９】
患者の撮像データを取得する画像取得デバイスであって、複数の検出器ピクセルを備えるピクセル構成検出器を含む、画像取得デバイスと、
表示デバイスと、
少なくとも１つの電子プロセッサとを備える、撮像システムであって、
前記少なくとも１つの電子プロセッサは、
前記ピクセル構成検出器によって取得された現在の品質管理（ＱＣ）データセットと、前記ピクセル構成検出器によって取得された１つ以上の先行するＱＣデータセットとを受信し、
前記現在のＱＣデータセット及び前記１つ以上の先行するＱＣデータセットから、前記検出器ピクセルの安定度レベルを経時的に判断することであって、前記現在のＱＣデータセットと前記１つ以上の先行するＱＣデータセットとの間の前記検出器ピクセルの感度の変化に基づいて、前記検出器ピクセルの安定度レベルを判断し、
前記検出器ピクセルに関して判断された前記安定度レベルが安定度閾値範囲から外れているときに、前記検出器ピクセルの１つ以上をデッドと分類し、
デッドと分類された前記検出器ピクセルの識別情報を表示するために、前記表示デバイスを制御するようにプログラムされる、撮像システム。
【請求項１０】
前記少なくとも１つの電子プロセッサは、
前記現在のＱＣデータセットから、前記ピクセル構成検出器の前記検出器ピクセルの感度レベルを判断し、
前記感度レベルが最大感度閾値より高いときに、前記ピクセル構成検出器の検出器ピクセルをデッドと分類し、
前記感度レベルが最小感度閾値より低いときに、前記ピクセル構成検出器の検出器ピクセルをコールドと分類し、
前記ピクセルの前記識別情報をデッド又はコールドと表示するために、前記表示デバイスを制御するように更にプログラムされる、請求項９に記載の撮像システム。
【請求項１１】
前記少なくとも１つの電子プロセッサは、
デッドと分類された前記検出器ピクセルに基づいて、前記ピクセル構成検出器の保守点検又は較正が指示されるか否かを判断するように更にプログラムされ、
前記表示デバイス上の前記表示は、前記ピクセル構成検出器の保守点検又は較正が指示されるか否かの前記判断を踏まえて、前記ピクセル構成検出器の保守点検の実行勧告又は前記ピクセル構成検出器の較正の実行勧告を指示するメッセージを更に含む、請求項９に記載の撮像システム。
【請求項１２】
前記少なくとも１つの電子プロセッサは、
以前にデッドと分類された１つ以上の検出器ピクセルの検出された前記安定度レベルが前記安定度閾値範囲内にあるときに、以前にデッドと分類された前記１つ以上の検出器ピクセルをライブと再分類するように更にプログラムされる、請求項９に記載の撮像システム。
【請求項１３】
前記少なくとも１つの電子プロセッサは、
デッドと分類された前記検出器ピクセルを、データを与えない検出器ピクセルとして取り扱って、前記ピクセル構成検出器によって撮像対象者に関して取得される撮像データをシミュレートし、
前記シミュレートされた撮像データを再構成して、シミュレートされた画像を生成するように更にプログラムされる、請求項９に記載の撮像システム。
【請求項１４】
前記少なくとも１つの電子プロセッサは、
デッドと分類された前記検出器ピクセルによって取得されたデータを省いて、前記ピクセル構成検出器によって取得された撮像データセットを再構成して、現在のＱＣ画像を生成し、
前記現在のＱＣ画像と前記１つ以上の先行するＱＣデータセットから生成された基準画像との比較を表示するために、前記表示デバイスを制御するように更にプログラムされる、請求項９に記載の撮像システム。
【請求項１５】
前記少なくとも１つの電子プロセッサは、
前記現在のＱＣ画像と前記基準画像とを比較し、
前記現在のＱＣ画像と前記基準画像との前記比較に基づいて、前記ピクセル構成検出器の保守点検又は較正が指示されるか否かを判断するように更にプログラムされ、
前記表示デバイス上の前記表示は、前記ピクセル構成検出器の保守点検又は較正が指示されるか否かの前記判断を踏まえて、前記ピクセル構成検出器の保守点検の実行勧告又は前記ピクセル構成検出器の較正の実行勧告を指示するメッセージを更に含む、請求項１４に記載の撮像システム。
【請求項１６】
前記方法は、
前記感度レベルが最小感度閾値より低いときに、前記ピクセル構成検出器の検出器ピクセルをデッドと分類するステップを更に有する、請求項２に記載の非一時的コンピュータ可読媒体。
【請求項１７】
前記ピクセル構成検出器は、
ポジトロン放出断層撮影（ＰＥＴ）デバイスの検出器リング、透過型コンピュータ断層撮影（ＣＴ）デバイスの検出器アレイ、単光子放出コンピュータ断層撮影（ＳＰＥＣＴ）を実行するガンマカメラの検出器、及びデジタルＸ線撮影デバイスのデジタル検出器アレイのうちの１つである、請求項９に記載の撮像システム。
【請求項１８】
前記現在のＱＣデータセット及び１つ以上の先行するＱＣデータセットは、点線源又はライン線源を備える基準線源から取得される、請求項９に記載の撮像システム。
【請求項１９】
患者の撮像データを取得するポジトロン放出断層撮影（ＰＥＴ）デバイスであって、前記ポジトロン放出断層撮影（ＰＥＴ）デバイスは、複数のＰＥＴ検出器ピクセルを備えるＰＥＴ検出器リングを含む、ポジトロン放出断層撮影（ＰＥＴ）デバイスと、
表示デバイスと、
少なくとも１つの電子プロセッサとを備える、撮像システムであって、
前記少なくとも１つの電子プロセッサは、
前記ピクセル構成検出器によって取得された現在の品質管理（ＱＣ）データセットと、前記ピクセル構成検出器によって取得された１つ以上の先行するＱＣデータセットとを受信し、
前記現在のＱＣデータセットから、検出器ピクセルの感度レベルを判断し、
前記現在のＱＣデータセット及び前記１つ以上の先行するＱＣデータセットから、前記検出器ピクセルの安定度レベルを経時的に判断し、前記検出器ピクセルの安定度レベルは、前記現在のＱＣデータセットと前記１つ以上の先行するＱＣデータセットとの間の前記検出器ピクセルの感度の変化に基づいて判断され、
前記感度レベルが最大感度閾値より高いときに、前記ピクセル構成検出器の検出器ピクセルをデッドと分類し、
前記感度レベルが最小感度閾値より低いときに、前記ピクセル構成検出器の検出器ピクセルをコールドと分類し、
デッド又はコールドと分類された前記検出器ピクセルの識別情報を表示するために、前記表示デバイスを制御するようにプログラムされる、撮像システム。
【請求項２０】
前記少なくとも１つの電子プロセッサは、
以前にデッドと分類された１つ以上の検出器ピクセルの検出された前記安定度レベルが最大安定度閾値及び最小安定度閾値の範囲内にあるときに、以前にデッドと分類された前記１つ以上の検出器ピクセルをライブと再分類するように更にプログラムされる、請求項１９に記載の撮像システム。